(57)【特許請求の範囲】
【請求項１】
コンテナを積載して、コンテナターミナルと荷主との間で搬送するコンテナ搬送トラックの運行管理システムにおいて、
荷役作業に関する所定の情報を統括する管理サーバーと、
前記トラックに搭載した車載端末装置と、
コンテナターミナルに設置したターミナル管理端末装置と、
前記コンテナターミナルのコンテナターミナルゲートに設置したゲート端末装置と、
トラックが積載しているコンテナの荷役情報を提供する指定端末装置とからなり、
前記管理サーバーと前記ターミナル管理端末装置と指定端末装置とをインターネット網や電話回線網等の通信網を介して情報の交換を行うことで、前記指定端末装置で入力された荷役情報を共有し、
前記車載端末装置は、前記管理サーバーとの間でデジタル携帯電話網等の通信網を介してデータ通信により所定の情報を交換して当該トラックの位置情報を前記管理サーバーに通知し、前記ゲート端末装置との間での情報の交換を短距離無線通信を介して行って、前記管理サーバーと前記ゲート端末装置とのそれぞれの間で交換した所定の情報を表示し、
前記管理サーバーは、前記トラックの位置情報を捕捉して表示すると共に、前記ターミナル管理端末装置と前記指定端末装置に該位置情報を提供し、
前記ターミナル管理端末装置は、前記荷役情報を前記ゲート端末装置に提供する共に、コンテナヤードにおける蔵置位置を選定して、荷役作業の準備を行わせ、
前記ゲート端末装置は、前記荷役情報に基づいて該荷役情報に係るコンテナを積載したトラックの来構に待機し、前記車載端末装置から受信した所定の情報に基づいて該トラックの来構時の受付手続を行って、前記車載端末装置にコンテナヤード内の荷役作業場所の指示を行うことを特徴とするコンテナ搬送トラックの運行管理システム。
【請求項２】
前記指定端末装置は前記コンテナの搬送を担う乙仲業者または運送業者に設置して、該指定端末装置から前記管理サーバーへ荷役情報を送信することを特徴とする請求項１に記載のコンテナ搬送トラックの運行管理システム。
【請求項３】
前記車載端末装置にGPSを搭載して該トラックの位置情報を取得することを特徴とする請求項１または請求項２に記載のコンテナ搬送トラックの運行管理システム。
【発明の詳細な説明】
【技術分野】
【０００１】
この発明は、コンテナターミナルに対して搬出入されるコンテナを積載して陸送するトラックの運行を管理して、コンテナターミナルにおける荷役作業等の管理作業を円滑に行えるようにするコンテナ搬送トラックの運行管理システムに関する。
【背景技術】
【０００２】
コンテナターミナルは海上輸送と陸上輸送との異種輸送手段間の接点となる施設で、これら異種輸送手段間でコンテナの積み込み、積み卸し等を行うことを主たる機能としている。このため、積み込み、積み卸しに待機するコンテナを一時的に保管するコンテナヤードを備えている。すなわち、コンテナヤードには、岸壁に接岸したコンテナ船に積み込み、あるいはコンテナ船から積み卸しされた、及び陸上輸送のトラックに積み込み、あるいはトラックから積み卸しされたコンテナが保管されている。
【０００３】
コンテナヤードに保管されたコンテナには、コンテナ船から積み卸しされた輸入貨物が収容されて、荷主により搬出される搬出コンテナと、輸出貨物が収容されて、荷主により搬入された搬入コンテナ、貨物を収容していない空コンテナとがある。搬出コンテナは確実に輸入元の荷主に搬送されなければならないから、搬出のためにコンテナターミナルに来構した外来トラックに対して、誤ったコンテナを積み込むことがないようにしなければならない。また、搬入コンテナは確実に輸出国行きのコンテナ船に積み込まなければならないから、誤った位置にコンテナを蔵置することがないようにしなければならない。このため、来構した外来トラックは、入口ゲートにおいて諸手続を行って、該外来トラックが向かうべき蔵置位置の指定を受ける必要がある。なお、コンテナヤードにおけるコンテナの積み込み積み卸しには、コンテナクレーン等の荷役機器が用いられる。
【０００４】
図２は、コンテナターミナル１の一例を示す平面図である。コンテナ船２は岸壁３に係留され、岸壁用コンテナクレーン４によってコンテナ５の積み込みと積み卸しが行われる。岸壁３はコンテナヤード６の縁部に配されており、コンテナ船２に積み込み積み卸しされるコンテナ５はこのコンテナヤード６に蔵置される。コンテナ５は適宜個数が行列状に積まれてコンテナブロック5aとされ、コンテナヤード６には該コンテナブロック5aが適宜数ずつ行列状に配されている。コンテナ５を、このコンテナヤード６内で移動させたり、荷主との間の陸送にはトラック７が用いられる。このトラック７にコンテナ５を積み込み、積み卸すにはヤードクレーン８が用いられる。
【０００５】
前記トラック７のうちの外来トラック７は、入口ゲートＧiからコンテナヤード６に入構し、出口ゲートＧoまたはサブゲートＧsから退構する。これは、輸入貨物が収容された実入りのコンテナ５が積み込まれたトラック７や空のコンテナ５が積み込まれたトラック７は、コンテナの損傷チェック等を出口ゲートＧoで行う必要があり、コンテナ５を積み込んでいないトラック７はチェックを行う必要がないからサブゲートＧsから退構するようにしたものである。前記入口ゲートＧiの側方には管理棟９やガードマン詰め所10、事務棟11等の建物が配されている。また、入口ゲートＧiを挟んで管理棟９の反対側には空のコンテナ５が保管される空バンプール12や修理場13、水洗場14が配置されている。
【０００６】
この種のコンテナターミナル１では、一定の管理の下でトラック７やヤードクレーン８が運行されている。例えば、陸送のために保管されているコンテナ５を引き取るために来構する旨の予約が陸送のための運送業者から入れられると、該当するコンテナ５を構内のトラック７が運送業者の搬出しやすい位置に移送して蔵置し、運送業者の来構を待つ。運送業者が来構したならば、入口ゲートＧiで引き取りに係る貨物に関する情報等が記載された書類のチェックを受ける等の所定の手続きを行った後、指示された蔵置位置までトラック７を移動させて、ヤードクレーン８により所定のコンテナ５の積み込みあるいは積み卸しを行うようにしている。
【０００７】
例えば、特許文献１には、コンテナターミナルから効率的にコンテナを搬出することができるようにするため、コンテナターミナルに蔵置されたコンテナの搬出する貨物搬出補助装置を備えて、搬出すべきコンテナを特定すると共に、搬出予定日時を搬出者が搬出者端末からインターネットを介して前記貨物搬出補助装置に通知することにより、コンテナの搬出の予約を行えるようにした貨物搬出補助システムが提案されている。
【０００８】
【特許文献１】特開２００２−３０２２６１
【発明の開示】
【発明が解決しようとする課題】
【０００９】
しかしながら、コンテナの搬出入の予約がなされている場合であっても、該当するコンテナを積載したトラックが来構した際に受付手続が開始されるため、予約時間通りに来構する場合には搬出入作業を迅速に行うことができるが、来構時間が遅れてしまうと、受付手続の順序が狂ってしまい、予約が十分に機能しないおそれがある。来構時間に遅れる原因としては、例えば交通渋滞等がある。
【００１０】
トラックが交通渋滞のために生じる遅れは、該トラックの運行を管理する運送業者にとっても、運行中のトラックの位置を把握できず、別途搬送すべきコンテナがある場合に、その手配を行うことができず、トラックの運行効率の向上を阻害する一因となっている。しかも、運転者にとっても、渋滞に遭うことは作業を停滞させてしまって、予定の運行を行えない場合が生じるおそれがある。
【００１１】
そこで、この発明は、コンテナターミナルにおける荷役作業やコンテナターミナルゲートにおける手続、運送業者による搬送作業の円滑化を図るコンテナ搬送トラックの運行管理システムを提供することを目的としている。
【課題を解決するための手段】
【００１２】
前記目的を達成するための技術的手段として、この発明に係るコンテナ搬送トラックの運行管理システムは、コンテナを積載して、コンテナターミナルと荷主との間で搬送するコンテナ搬送トラックの運行管理システムにおいて、荷役作業に関する所定の情報を統括する管理サーバーと、前記トラックに搭載した車載端末装置と、コンテナターミナルに設置したターミナル管理端末装置と、前記コンテナターミナルのコンテナターミナルゲートに設置したゲート端末装置と、トラックが積載しているコンテナの荷役情報を提供する指定端末装置とからなり、前記管理サーバーと前記ターミナル管理端末装置と指定端末装置とをインターネット網や電話回線網等の通信網を介して情報の交換を行うことで、前記指定端末装置で入力された荷役情報を共有し、前記車載端末装置は、前記管理サーバーとの間でデジタル携帯電話網等の通信網を介してデータ通信により所定の情報を交換して当該トラックの位置情報を前記管理サーバーに通知し、前記ゲート端末装置との間での情報の交換を短距離無線通信を介して行って、前記管理サーバーと前記ゲート端末装置とのそれぞれの間で交換した所定の情報を表示し、前記管理サーバーは、前記トラックの位置情報を捕捉して表示すると共に、前記ターミナル管理端末装置と前記指定端末装置に該位置情報を提供し、前記ターミナル管理端末装置は、前記荷役情報を前記ゲート端末装置に提供する共に、コンテナヤードにおける蔵置位置を選定して、荷役作業の準備を行わせ、前記ゲート端末装置は、前記荷役情報に基づいて該荷役情報に係るコンテナを積載したトラックの来構に待機し、前記車載端末装置から受信した所定の情報に基づいて該トラックの来構時の受付手続を行って、前記車載端末装置にコンテナヤード内の荷役作業場所の指示を行うことを特徴としている。
【００１３】
前記指定端末装置から荷役情報が入力されると管理サーバーに記録され、ターミナル管理端末装置はその荷役情報を管理サーバーより参照する。
【００１４】
コンテナを積載して走行しているトラックの位置情報が取得されて、前記管理サーバーに通知される。管理サーバーは、例えば当該コンテナターミナルが管轄している地域の地図データを保持して、この地図データ上に前記通知されたトラックの位置情報を重ねて、トラックの位置を含む画像表示情報を作成する。この表示情報が前記指定端末装置やターミナル管理端末装置に提供される。このため、前記トラックの当該時の位置を、前記指定端末装置とターミナル管理端末装置により把握することができる。
【００１５】
前記車載端末装置には、当該トラックについての、例えば当日の搬送業務に関する情報が前記指定端末装置より業務開始に先だって入力されることにより該トラックが担当しているコンテナに関する荷役情報が管理サーバーを介して送信され、記録されている。この荷役情報はターミナル管理端末装置から前記ゲート端末装置へも送信され、ゲート端末装置は、該コンテナを積載しているトラックの来構に待機する。
また、ターミナル管理端末装置は、コンテナに関する荷役情報に基づいて該コンテナの蔵置位置を、他のコンテナの荷役情報等を参照しながら調整して選定し、ヤードクレーン等のコンテナヤードにおける荷役機器を当該蔵置位置へ向かわせる等の指示を行って荷役作業の準備を行わせる。なお、この準備作業は、例えば、コンテナを積載しているトラックの接近情報を、前記管理サーバーの確認処理によって前記ターミナル管理端末装置に提供された時点で、前記ゲート端末装置へ当該情報を提供することに先立ってコンテナヤードにおける蔵置位置を選定し、荷役機器への当該蔵置位置へ移動するよう作業指示を行い、その後トラックがコンテナターミナルに接近した適宜な時機に前記ゲート端末装置へ当該トラックに関する荷役情報を提供するようにしても構わない。
【００１６】
当該トラックが来構するとゲート端末装置は受付手続を行い、コンテナの蔵置位置を特定して、前記車載端末装置に位置情報を送信する。位置情報は車載端末装置に表示され、運転手はその位置にトラックを移動させる。トラックが所定の位置に到着したならば、ヤードクレーン等の荷役機器によりコンテナの積み込み積み卸しが行われる。
【００１９】
前記指定端末装置と前記ターミナル管理端末装置とは、荷役情報の交換をインターネット網や電話回線網等の前記通信網を介して管理サーバーより行うようにしたものである。
【００２１】
デジタル携帯電話を介したデータ通信としては、例えばDoPa（登録商標）のようなパケット通信方式によるものなどがあり、一般的に普及している商用のデータ通信サービスを利用することができる。
【００２２】
また、前記車載端末装置と前記ゲート端末装置との間の情報の交換を、短距離無線通信で行う。
車載端末装置とゲート端末装置との間の交信は、トラックがコンテナターミナルゲートに接近した状態から交信が可能となればよいため、短距離無線通信によるものでよく、例えば、デジタル家電や携帯電話等の無線通信規格として、通信範囲が半径10〜100m程度である無線通信の規格を備えたブルートゥースを利用することができる。また、ＩＣチップを内蔵し、通信機能を備えているＲＦＩＤ（Radio Frequency Idetification）からなるＩＤタグを用いて、トラックの接近をゲート端末装置が把握するようにすることもできる。ＩＤタグに必要な情報を書き込んで、ゲート端末装置でこれら情報を読み取ることにより受付手続の準備を行う。
【００２３】
また、請求項２の発明に係るコンテナ搬送トラックの運行管理システムは、前記指定端末装置は前記コンテナの搬送を担う乙仲業者または運送業者に設置して、該指定端末装置から前記管理サーバーへ荷役情報を送信することを特徴としている。
【００２４】
また、請求項３の発明に係るコンテナ搬送トラックの運行管理システムは、前記車載端末装置にGPS（Global Positioning System）を搭載して該トラックの位置情報を取得することを特徴としている。
【発明の効果】
【００２５】
この発明に係るコンテナ搬送トラックの運行管理システムによれば、トラックの当該時における位置をコンテナターミナルで把握できるため、トラックの位置情報からコンテナの到着時間を予測でき、コンテナターミナルにおける荷役作業の受け入れ準備を適時行うことができる。このため、コンテナターミナルゲートでの受付手続の迅速化を図ることができる。また、車載端末装置によりトラックの運転者が、管理サーバーを介して確実に指示を受けることができるから、荷役作業のための作業伝票を受け取るために、所属する事務所等に戻る必要がない。また、運転者はコンテナターミナルにおける荷役作業の現状を把握することにより、来構した際の大凡の待機時間を把握できるので、不測に長時間を待たされる状況を減じることができる。また、車載端末装置を搭載しているトラックについてのみ受付手続を行うようにすることにより、コンテナターミナルにおけるセキュリティを向上させることができる。
【００２７】
そして、例えば運送業者はパーソナルコンピュータと必要なソフトウェアとを準備してインターネット網に接続する環境を整えることによりこの運行管理システムに加入できる。このため、この運行管理システムを、容易に実現することができる。
また、商用デジタル通信網を利用するもので、特別な装置等を用意する必要がないため、この運行管理システムをより容易に実現することができる。
【００２８】
しかも、コンテナターミナルに接近したトラックとゲート端末装置とは、無線通信で交信することで、運転手やゲート作業員による手入力を必要とせず、荷役情報のやりとりが行われるため、受付手続の迅速化を果たすことができる。
【００２９】
また、請求項２の発明に係るコンテナ搬送トラックの運行管理システムによれば、運送業者がトラックの運行状況を確実に把握することができると共に、トラックの運転者への指示を容易に行うことができる。
【００３０】
また、請求項３の発明に係るコンテナ搬送トラックの運行管理システムによれば、トラックの位置を把握することができるので、コンテナターミナルによる受付作業の準備を円滑に行え、運送業者等は作業の進捗状況を確実に把握できて作業手配を確実に行うことができる。
【発明を実施するための最良の形態】
【００３１】
以下、図示した好ましい実施の形態に基づいて、この発明に係るコンテナ搬送トラックの運行管理システムを具体的に説明する。
【００３２】
図１は、この発明に係るコンテナ搬送トラックの運行管理システムの構成を説明するブロック図を示している。
【００３３】
この運行管理システムは、インターネット網30に接続されている管理サーバー20により統括されて構成されている。前述したようにコンテナターミナル１には管理のための管理棟９が設けられており、この管理棟９内でコンテナヤード６やゲートＧ等の管理が行われているが、前記管理サーバー20は、例えばこの管理棟９内に設置されて、コンテナの蔵置位置等の管理を担うターミナル管理端末装置27を含んで、この運行管理システムを統括する。
【００３４】
コンテナ５はトラック７に積載されて運搬される。例えば、輸出用貨物が収容された搬出コンテナ５では、輸出業者が運送業者に貨物をコンテナに収容してコンテナターミナル１へ搬送することを依頼する。運送業者は輸出業者から貨物を預かりコンテナ５に収容してコンテナターミナル１へ搬送する。このトラック７には車載端末装置21が搭載されており、この車載端末装置21にはGPS21a（Global Positioning System）が接続されて、トラック７の当該時の位置が検出されている。また、車載端末装置21には、例えばDoPa（ドゥーパ）（登録商標）と称されているデジタル携帯電話網を介したデータ通信サービスのための移動体通信21bが接続されており、この移動体通信21bを介してドゥーパ網22に接続されている。そして、このドゥーパ網22を介して前記管理サーバー20との間で情報を交換できるようにしてある。他方、車載端末装置21には、近距離における端末間の無線通信に適した規格であるブルートゥースによる通信可能な移動体通信が備えられており、このブルートゥースにより、後述するゲート端末装置と交信する。なお、車載端末装置21には所定の情報を表示する表示装置21cが接続されている。
【００３５】
また、車載端末装置21には、ＩＣチップと適宜な通信用アンテナが組み込まれて、通信機能を備えているＲＦＩＤによるＩＤタグを備えさせて、このＩＤタグと前記ゲート端末装置との間の交信を行うようにすることもできる。
【００３６】
コンテナターミナル１のゲートＧiには来構するトラック７のコンテナターミナル１における荷役作業を受け付ける手続を行うためのゲート端末装置25が設置されており、トラック７の来構時には運転者は必要に応じてこのゲート端末装置25を操作することにより受付手続が行われる。
【００３７】
前記ゲート端末装置25はコンテナターミナル１に設置された、該コンテナターミナル１の搬出入作業や荷役作業を管理するターミナル管理端末装置27と接続されており、これらの作業に関する情報が交換されている。また、このゲート端末装置25はインターネット網30に接続されている。
【００３８】
また、コンテナ５の搬送を担うそれぞれの運送業者には、インターネット網30を介して前記管理サーバー20と接続できる指定端末装置32が設置されている。
【００３９】
以上により構成されたこの発明に係るコンテナ搬送トラックの運行管理システムの作用を、以下に説明する。
【００４０】
運送業者は指定端末装置32から貨物を収容したコンテナ５に関する情報と当該コンテナ５を積載したトラック７に関する情報とに係る荷役情報を、インターネット網30を介して管理サーバー20に提供する。管理サーバー20から前記ドゥーパ網を介して車載端末装置21にコンテナ５に関する情報を提供することにより、該車載端末装置21は当該コンテナ５の情報を保存して保持すると共に、表示装置21cに表示する。トラック７の運転者はこの表示された内容を確認してトラック７を走行させてコンテナターミナル１に向かう。
【００４１】
トラック７にはGPS21aが搭載されているから、走行中であっても当該時の所在位置が捕捉されて、管理サーバー20で位置情報が取得される。管理サーバー20は、この位置情報に基づいて、例えば管理サーバー20が保有している地図データの画像にトラック７の位置を重ねて表示する等により、トラック７の位置を特定した情報を提供する。なお、この地図データは当該コンテナターミナル１の管轄範囲を含む地域についてのものであって十分である。
【００４２】
前記管理サーバー20によって特定されたトラック７の位置情報は、インターネット網30を介して、前記指定端末装置32と前記ターミナル管理端末装置27に提供される。なお、指定端末装置32とターミナル管理端末装置27とでは、必要に応じてインターネット網30からこの位置情報を取得することもできる。また、管理サーバー20は、トラック７がコンテナターミナル１の近くに到達してからターミナルに到着するまでの時間の集計と、コンテナターミナル１を退構してから特定の搬送先までの所要時間の集計を行う。
【００４３】
他方、運送業者は指定端末装置32によりインターネット網30を介してトラック７の位置情報を取得して当該トラック７が積載しているコンテナ５の搬送作業の進捗状況を把握することができる。また、管理サーバー20から提供されるトラック７の到着予定時刻から当該トラック７に対する次の搬送作業の手配を行うことができる。この手配は、指定端末装置32から管理サーバー20に対して所定の指示を行い、該管理サーバー20からトラック７の車載端末装置21に送信することによる。送信された指示内容は該車載端末装置21に保持されると共に、前記表示装置21cに表示されて運転者に伝達される。また、例えば、前記地図情報によりトラック７の走行経路が誤っていると確認できる場合には、運送業者はその旨を運転者に通知することができる。
【００４４】
トラック７が走行してゲート端末装置25に接近すると、該トラック７に搭載されたブルートゥースによる移動体通信とゲート端末装置25との間で交信が開始されて、トラック７が接近していることが把握される。これにより、当該トラック７が特定されて、このトラック７の情報を前記ターミナル管理端末装置27で参照して、該トラック７に積載されているコンテナ５に関する情報を取得する。また、前記ＩＤタグを備えている場合には、該ＩＤタグとの間で交信が開始されて、該ＩＤタグのＲＡＭあるいはＲＯＭに書き込まれている識別情報をもとにコンテナの荷役に関する情報が把握される。このコンテナ５の情報に基づいて迅速に受付手続を開始することができる。
【００４５】
また、ターミナル管理端末装置27には管理サーバー20より位置情報を取得しトラック７の位置が表示されることにより、当該コンテナ５を積載したトラック７がコンテナターミナル１に到着したことが把握できるから、蔵置場所の確保等の荷役作業についての準備を行う。このため、受付手続が完了してトラック７が所定の位置まで移動したならば迅速に荷役作業を開始することができる。
【産業上の利用可能性】
【００４６】
この発明に係るコンテナ搬送トラックの運行管理システムによれば、コンテナの搬送に係るトラックの位置を常に把握して、該トラックがコンテナターミナルに接近したことを把握できるから、コンテナターミナルにおける荷役作業の準備が可能となり、また、ゲート端末装置に近づいたタイミングで受付処理が開始されるため、コンテナターミナルゲートでの受付作業とコンテナターミナルでの荷役作業を迅速に行うことに寄与する。
【図面の簡単な説明】
【００４７】
【図１】この発明に係るコンテナ搬送トラックの運行管理システムの構成を説明する概略のブロック図である。
【図２】コンテナターミナルの構造を説明する概略の平面図である。
【符号の説明】
【００４８】
１  コンテナターミナル
５  コンテナ
5a  コンテナブロック
６  コンテナヤード
７  トラック
８  ヤードクレーン
９  管理棟
20  管理サーバー
21  車載端末装置
21a  GPS
21b  移動体通信
21c  表示装置
22  ドゥーパ網
25  ゲート端末装置
27  ターミナル管理端末装置
30  インターネット網
32  指定端末装置
Ｇi  入口ゲート
Ｇo  出口ゲート
Ｇs  サブゲート
【図１】
0005520448.tif 000002
【図２】
0005520448.tif 000003